(57)【特許請求の範囲】
【請求項１】
壁面に取り付けられる筐体部と、
前記筐体部の前面に固定され、前記筐体部の前面の一部を覆う固定カバーと、
前記固定カバーと前記筐体部とに支持されてスライドによって前記筐体部の前面の一部を開閉する開閉カバーと、
前記開閉カバーのアーム部を前記筐体部の第１のアームガイド部と前記固定カバーの第２のアームガイド部とに係合させるとともに前記第１のアームガイド部と前記第２のアームガイド部とで挟み込んで、前記開閉カバーを前記筐体部にスライド可能に支持させ、前記アーム部と前記第１のアームガイド部との複数のスライド突部の点接触により前記開閉カバーを開閉位置に保持させるスライド機構と、
を備える筐体モジュール。
【請求項２】
前記アーム部は、前記第１のアームガイド部のレール部に係合する溝部と、前記レール部に平行に形成された立壁と、
を備える請求項１に記載の筐体モジュール。
【請求項３】
前記筐体部と前記固定カバーとを複数の凹部と突部の係合により着脱可能に固定する請求項１または２に記載の筐体モジュール。
【請求項４】
前記開閉カバーの閉位置で前記固定カバーと前記開閉カバーを凹部および突部の係合により固定する請求項１ないし３の何れかの請求項に記載の筐体モジュール。
【請求項５】
前記第１のアームガイド部と前記アーム部との係合により前記アーム部の離脱を阻止する離脱防止機構を備える、
請求項１ないし４の何れかの請求項に記載の筐体モジュール。
【請求項６】
前記筐体部と閉状態の前記開閉カバーとを磁力により保持するカバー保持機構を備える、
請求項１ないし５の何れかの請求項に記載の筐体モジュール。
【請求項７】
請求項１ないし請求項６の何れかに記載された筐体モジュールを備え、前記筐体部の前面部に表示部およびスイッチ部を備える、
リモコン装置。
【請求項８】
請求項７に記載のリモコン装置、および該リモコン装置と接続されて給湯機能または追焚機能を制御する制御部を備える、
給湯・追焚装置。
【発明の詳細な説明】
【技術分野】
【０００１】
本発明は、浴室などに設置されるリモコン回路などを収納する筐体モジュール、該筐体モジュールを用いたリモコン装置、該リモコン装置を用いた給湯・追焚装置に関する。
【背景技術】
【０００２】
給湯・追焚装置などの機器には遠隔操作を行うためのリモコン装置が備えられる。給湯・追焚装置では浴室に浴室リモコン装置が設置される。このため、浴室内で給湯温度の設定や水位などの設定を容易に行うことができる。
【０００３】
このリモコン装置に関し、操作部に開閉蓋を備えて操作部を開閉する機構が知られている（たとえば、特許文献１）。この開閉機構に関し、開閉動作に連動する部材や蓋部材の閉止機構が知られている（たとえば、特許文献２）。
【先行技術文献】
【特許文献】
【０００４】
【特許文献１】特開平１１−０５５７６７号公報
【特許文献２】特許第４４４９１２３号公報
【発明の概要】
【発明が解決しようとする課題】
【０００５】
ところで、リモコン装置は給湯・追焚装置などの機器本体と別個に設けられ、浴室など、機器本体と離間した場所に設置される。浴室に設置されたリモコン装置にあっては、通常時に使用されないスイッチボタンは隠蔽し、多用されるスイッチボタンを露出させるなど、操作性に対する配慮も必要である。斯かる要請から、必要に応じて開閉されるカバーが備えられる。このカバーは、スイッチボタンなどを防護する機能もある。
【０００６】
開状態のカバーが閉状態で前方に突出する構成では、ユーザがカバーのつまみ部分を用いて開閉する手間がある。また、開かれたカバーが邪魔になり、不用意に負荷が加えられるという不都合もある。
【０００７】
開状態でカバー背面が露出する構成では、その背面部の対策としてデザイン的な統一性や水滴やごみなどの付着を防止することが必要となるといった課題もある。
【０００８】
そこで、本発明の目的は上記課題に鑑み、浴室などに設置されるリモコン装置などに用いられる筐体モジュールの操作性や利便性を高めることにある。
【０００９】
また、本発明の他の目的は、上記筐体モジュールを用いたリモコン装置、該リモコン装置を用いた給湯・追焚装置を提供することにある。
【課題を解決するための手段】
【００１０】
上記目的を達成するため、本発明の筐体モジュールの一側面は、壁面に取り付けられる筐体部と、前記筐体部の前面に固定され、前記筐体部の前面の一部を覆う固定カバーと、前記固定カバーと前記筐体部とに支持されてスライドによって前記筐体部の前面の一部を開閉する開閉カバーと、前記開閉カバーのアーム部を前記筐体部の第１のアームガイド部と前記固定カバーの第２のアームガイド部とに係合させるとともに前記第１のアームガイド部と前記第２のアームガイド部とで挟み込んで、前記開閉カバーを前記筐体部にスライド可能に支持させ、前記アーム部と前記第１のアームガイド部との複数のスライド突部の点接触により前記開閉カバーを開閉位置に保持させるスライド機構とを備える。
【００１１】
上記筐体モジュールにおいて、前記アーム部は、前記第１のアームガイド部のレール部に係合する溝部と、前記レール部に平行に形成された立壁とを備えてもよい。
【００１２】
上記筐体モジュールにおいて、前記筐体部と前記固定カバーとを複数の凹部と突部の係合により着脱可能に固定してもよい。
【００１３】
上記筐体モジュールにおいて、前記開閉カバーの閉位置で前記固定カバーと前記開閉カバーを凹部および突部の係合により固定してもよい。
【００１４】
上記筐体モジュールにおいて、前記第１のアームガイド部と前記アーム部との係合により前記アーム部の離脱を阻止する離脱防止機構を備えてもよい。
【００１５】
上記筐体モジュールにおいて、前記筐体部と閉状態の前記開閉カバーとを磁力により保持するカバー保持機構を備えてもよい。
【００１６】
上記目的を達成するため、本発明のリモコン装置の一側面は、上記筐体モジュールを備え、前記筐体部の前面部に表示部およびスイッチ部を備える。
【００１７】
上記目的を達成するため、本発明の給湯・追焚装置の一側面は、上記リモコン装置、および該リモコン装置と接続されて給湯機能または追焚機能を制御する制御部を備える。
【発明の効果】
【００１８】
以上説明したように、本発明の筐体モジュール、リモコン装置または給湯・追焚装置によれば、次の何れかの効果が得られる。
【００１９】
(1) 開閉カバーは筐体部より突出させることなく開閉でき、スライドによって容易に開閉でき、操作性を高めることができる。
【００２０】
(2) 開閉カバーの背面側の露出がなく、開閉カバーの背面部のデザイン的な対策が不要である。
【００２１】
(3) 筐体部の前面の一部を固定カバーで覆い、固定カバーから露出する筐体部を開閉カバーで開閉でき、リモコン装置などの利便性を高めることができる。
【００２２】
そして、本発明の他の目的、特徴および利点は、添付図面および各実施の形態を参照することにより、一層明確になるであろう。
【図面の簡単な説明】
【００２３】
【図１】第１の実施の形態に係るリモコン装置を示す斜視図である。
【図２】開閉カバーを開いたリモコン装置を示す斜視図である。
【図３】開閉カバーを閉状態または開状態としたリモコン装置の側面を示す図である。
【図４】筐体モジュールを分解して示す斜視図である。
【図５】一部を省略した前面ケースの前面を示す図である。
【図６】前面ケースのアームガイド部を拡大して示す図である。
【図７】一部を省略した固定カバーの背面を示す図である。
【図８】固定カバーのアームガイド部を拡大して示す斜視図である。
【図９】一部を省略した開閉カバーの背面を示す図である。
【図１０】背面側から見た開閉カバーの中間部およびアーム部を拡大して示す斜視図である。
【図１１】開閉カバーのアーム部の前面を示す斜視図である。
【図１２】前面側から見た開閉カバーの中間部およびアーム部を拡大して示す斜視図である。
【図１３】前面ケースに対する固定カバーおよび開閉カバーの取付けを示す図である。
【図１４】前面ケースに対する固定カバーの固定操作を示す図である。
【図１５】一部を省略した前面ケースに対する固定カバーの固定状態およびXVB 部を拡大して示す断面図である。
【図１６】一部を省略した筐体モジュールを示す正面図である。
【図１７】図１６のXVII−XVII線断面を示す断面図である。
【図１８】図１７のXVIIIA部、図１７のXVIIIB部および図１７のXVIIIC部を示す断面図である。
【図１９】一部を省略した開閉カバーの下降状態を示す断面図である。
【図２０】一部を省略した図１６のXX−XX線断面を示す断面図である。
【図２１】一部を省略した開閉カバーの下降状態を示す図である。
【図２２】アーム部およびアームガイド部の摺動面部および摺動状態を示す断面図である。
【図２３】第２の実施の形態に係るリモコン装置の一例を示す図である。
【図２４】給湯・追焚装置の一例を示す図である。
【発明を実施するための形態】
【００２４】
〔第１の実施の形態〕
【００２５】
図１は第１の実施の形態に係る浴室リモコン装置の一例を示している。図１に示す構成は本発明の筐体モジュールおよびリモコン装置の一例であり、斯かる構成に本発明が限定されるものではない。
【００２６】
図１に示す浴室リモコン装置２は浴室の壁面３に設置されている。このリモコン装置２は例えば、合成樹脂で成形された筐体モジュール４を備えている。この筐体モジュール４には筐体部として前面ケース６−１と背面ケース６−２とが備えられている。前面ケース６−１は背面ケース６−２により壁面３に取付けられている。前面ケース６−１は背面ケース６−２に係合され、着脱可能である。
【００２７】
前面ケース６−１の前面パネル部８には固定カバー１０および開閉カバー１２が設置されている。前面パネル部８は前面ケース６−１の前面部の一例である。開閉カバー１２は開閉動作を行う可動カバーである。前面パネル部８は、前面側を凸とする円弧面である。同様に固定カバー１０および開閉カバー１２も断面円弧面である。
【００２８】
固定カバー１０は筐体部を構成する前面ケース６−１に取り付けられ、筐体部の一部を構成する。開閉カバー１２は前面ケース６−１および固定カバー１０にスライド可能に支持されている。開閉カバー１２は上下方向にスライドし、前面パネル部８を開閉する。
【００２９】
固定カバー１０には表示窓部１４−１、スイッチ窓部１６−１、１６−２、１６−３、１６−４および放音孔１７−１が形成されている。表示窓部１４−１は前面パネル部８に設置されたＬＣＤ（Liquid Crystal Display）表示器の表示画面１８を露出させる。スイッチ窓１６−１には前面パネル部８に設置された呼び出しスイッチ２０−１の操作ボタン２１を露出させる。スイッチ窓部１６−２には前面パネル部８に設置された追焚きスイッチ２０−２の操作ボタン２１を露出させる。スイッチ窓部１６−３には前面パネル部８に設置されたふろ自動スイッチ２０−３の操作ボタン２１を露出させる。スイッチ窓部１６−４には前面パネル部８に設置された運転スイッチ２０−４の操作ボタン２１を露出させる。
【００３０】
開閉カバー１２には左右にアーム部２２−１、２２−２が設けられている。開閉カバー１２はアーム部２２−１、２２−２により筐体モジュール４に摺動可能に支持されている。各アーム部２２−１、２２−２は前面ケース６−１側にある第１のアームガイド部２４−１、２４−２と、固定カバー１０側にある第２のアームガイド部２５−１、２５−２（図７）によってスライド可能に挟み込まれてガイドされる。前面ケース６−１、背面ケース６−２および開閉カバー１２の側面は共通のフラット面を構成し、筐体モジュール４の側面をフラット化している。
【００３１】
図２は、開閉カバー１２を下方にスライド終点までスライドさせた状態（開状態）を示している。開閉カバー１２は、湾曲したアーム部２２−１、２２−２がアームガイド部２４−１、２４−２に沿ってスライドしている。この開状態では、前面ケース６−１の前面パネル部８が露出している。この露出部にはスイッチ操作パネル２６が設置されている。このスイッチ操作パネル２６には下降指示をする下降スイッチ２６−１、上昇指示をする上昇スイッチ２６−２、ふろ温度を指示するふろ温度スイッチ２６−３、給湯温度を指示する給湯温度スイッチ２６−４、水位を指示する水位スイッチ２６−５、時刻を設定する時刻スイッチ２６−６、浴室リモコンの優先を指示する浴室優先スイッチ２６−７の各操作ボタン２７が配置されている。開閉カバー１２の下面側には底板２８が形成され、この底板２８は前面ケース６−１の下面側に着脱される。
【００３２】
＜開閉カバー１２の開閉＞
【００３３】
図３は開閉カバーの開閉前後を示し、図３のＡは開閉カバーの閉状態、図３のＢは開閉カバーの開状態を示している。
【００３４】
図３のＡにおいて、二点鎖線はスライド終点に到達した開閉カバー１２の位置を示している。この開閉カバー１２が閉状態にあるとき、開閉カバー１２の顎部（つまり下縁角部）は、開閉カバー１２の湾曲面の頂点（最も突出した部分）である。
【００３５】
これに対し、開閉カバー１２をスライドして前面ケース６−１の下方に引き出すと、開閉カバー１２は図３のＢに示すように、アームガイド部２５−１、２５−２の延長上の湾曲面に到達する。このため、開閉カバー１２の顎部（つまり下縁角部）は開閉カバー１２の湾曲面の頂点より後退する。この後退幅はΔＷである。開閉カバー１２の湾曲面の頂点と壁面３との距離をＷとすると、開閉カバー１２の顎部の位置Ｗ１は、距離Ｗから後退幅ΔＷだけ後退している。つまり、Ｗ１＝Ｗ−ΔＷである。この後退幅ΔＷは例えば、仮想中心Ｏを中心とする開閉カバー１２の曲率半径Ｒと開閉カバー１２のスライド角度（回動角度）θに依存している。この場合、θ１は筐体モジュール４が構成する円弧の角度、θ２は開閉カバー１２のスライド範囲を示す角度である。
【００３６】
このような開閉カバー１２のスライド構造では、スライドして開状態となった開閉カバー１２は、後退幅ΔＷだけ後退し、閉状態位置から突出しない。開閉カバー１２の背面部は、開閉に関係なく壁面３側に向いており、ユーザ側から視認できない状態が維持される。
【００３７】
＜筐体モジュール４＞
【００３８】
図４は、このリモコン装置２の筐体モジュール４を分解して示している。前面ケース６−１の前面パネル部８には窓部１４−２、放音孔１７−２、スイッチ押下部３０−１、３０−２、３０−３、３０−４、３２−１、３２−２、３２−３、３２−４、３２−５、３２−６、３２−７が形成されている。窓部１４−２は前面ケース６−１に内蔵されるＬＣＤ表示器の表示画面を露出させる。放音孔１７−２は既述の放音孔１７−１に対応し、前面ケース６−１に内蔵されるスピーカの音声を導音する。スイッチ押下部３０−１、３０−２、３０−３、３０−４、３２−１、３２−２、３２−３、３２−４、３２−５、３２−６、３２−７は前面ケース６−１に内蔵されるスイッチの押下に用いられ、スイッチ操作パネル２６に配置された既述のスイッチ２６−１、２６−２・・・２６−７に対応する。
【００３９】
各スイッチ２６−１、２６−２・・・・２６−７は弾性部材からなるスイッチ操作パネル２６に形成されている。このスイッチ操作パネル２６は前面ケース６−１の前面パネル部８のスイッチ押下部３２−１・・・３２−７に既述のスイッチ２６−１、２６−２・・・２６−７を対応させて設置される。
【００４０】
窓部１４−２の周囲には遮光シート３３が設置される。この遮光シート３３には窓部１４−３が形成されている。この遮光シート３３には導光パネル３４が重ねられ、この導光パネル３４の導光部３６が固定カバー１０の表示窓部１４−１と係合する。
【００４１】
スイッチ押下部３０−１、３０−２、３０−３、３０−４に対応する各スイッチ２０−１、２０−２、２０−３、２０−４が設置されている。各スイッチ２０−１、２０−２、２０−３、２０−４は導光部材で形成されている。各スイッチ２０−１、２０−２、２０−３、２０−４はスイッチ押下部３０−１、３０−２、３０−３、３０−４に配置される発光ダイオードなどの光源からの光を導光する。
【００４２】
背面ケース６−２には周回状の溝部３８が形成されている。この溝部３８には溶接用導線が配置される。溶接用導線に電流を流し、溶接用導線に発生する熱により前面ケース６−１と背面ケース６−２とを溶着させる。これに代え、前面ケース６−１と背面ケース６−２とを水密状態に維持するパッキンを設置してもよい。背面ケース６−２には透孔４０が形成されている。この透孔４０は内蔵回路の配線の引き出しに用いられる。
【００４３】
開閉カバー１２の前縁中央には、固定カバー１０と係合する係合片４２が形成されている。
【００４４】
＜前面ケース６−１＞
【００４５】
図５は、前面ケース６−１の中間部を省略して示している。この前面ケース６−１には、一対のアームガイド部２４−１、２４−２とともに、各アームガイド部２４−１、２４−２の間に前方に突出したアイランド部４４が形成されている。このアイランド部４４の前面部はアームガイド部２４−１、２４−２と同心円状の円弧面で既述の前面パネル部８が形成されている。
【００４６】
前面ケース６−１の上縁部には固定カバー１０を取り外す際に用いられる一対の凹部４６が形成されている。アイランド部４４の上縁部には固定カバー１０と係合して固定する複数の第１の係合固定部４８が形成され、各係合固定部４８には係合凹部５０と係止突部５１が形成されている。各係合凹部５０および係止突部５１は着脱可能な係合手段の一例としてアイランド部４４の上縁の中央および左右に配置されている。
【００４７】
前面ケース６−１の下縁部の中央には凹部５２が形成されている。この凹部５２には開閉カバー１２の保持手段として磁石が配置される。この磁石は、カバー保持機構の一例である。
【００４８】
図６は、前面ケース６−１側のアームガイド部２４−１、２４−２を拡大して示している。アームガイド部２４−１、２４−２は、開閉カバー１２のアーム部２２−１、２２−２とでスライド機構を構成する。
【００４９】
アームガイド部２４−１、２４−２には前面ケース６−１の縁部にはスライド面部５４と、レール部５６と、溝部５８とが平行に形成されている。スライド面部５４は前方に張り出した円弧状の面部である。レール部５６は円弧状の一様な高さを持つ突壁である。このレール部５６の終端部には開閉カバー１２のスライド終端を決定するストッパ６０が形成されている。このストッパ６０はレール部５６をアイランド部４４側に直角に折り曲げた折曲部で形成されている。
【００５０】
溝部５８はレール部５６と同様に円弧状である。この溝部５８は、アイランド部４４の上端側で既述のストッパ６０で閉塞され、下端部は開放されている。この溝部５８の底部には凹部６２が形成されている。この溝部５８の側面を成すアイランド部４４の側壁６４には、溝部５８と直交方向に一定幅の凹部６６が形成されている。
【００５１】
アイランド部４４の側壁６４と、窓部１４−２の仕切り壁６８との間には溝部７０が形成されている。この溝部７０には長方形状の透孔７２が側壁６４に沿って形成されている。また、溝部７０の最深部側には固定カバー１０を係止する第２の係合固定部７４の係止バー７６が形成されている。この係止バー７６は、側壁６４と段部７８との間を橋絡する橋絡部である。段部７８には溝部７０に通じる透孔８０が形成されている。この透孔８０は、スイッチ操作パネル２６により閉塞されている。
【００５２】
＜固定カバー１０＞
【００５３】
図７は固定カバー１０の背面を示している。図８は、固定カバー１０の一部を切り欠くとともに、固定カバー１０の中間部およびアームガイド部２５−１、２５−２を拡大して示している。
【００５４】
固定カバー１０は、前面ケース６−１に設置されてアイランド部４４を覆う。この固定カバー１０には固定ケース６−１と対応する位置に既述の一対のアームガイド部２５−１、２５−２が形成されている。
【００５５】
この固定カバー１０の上縁壁部には、アイランド部４４に設置された各係合固定部４８の係合凹部５０に係合して係止される複数の係止突部８２が形成されている。
【００５６】
固定カバー１０の下縁部の左右には、前面ケース６−１の各係合固定部７４の係止バー７６に係止させる鉤部８４が形成されている。鉤部８４は係止バー７６に引っ掛けて係止される。これら係合固定部４８、係合固定部７４により、固定カバー１０は前面ケース６−１に着脱可能に固定される。
【００５７】
各アームガイド部２５−１、２５−２には固定カバー１０の縁部と平行にスライド面部８６、レール部８８、溝部９０が形成されている。溝部９０の端部は、レール部８８の始端部および終端部により閉塞されている。溝部９０を形成する壁部９２に沿って固定カバー１０の厚み方向に突出した突部９４が形成されている。つまり、アームガイド部２５−１、２５−２は、開閉カバー１２のアーム部２２−１、２２−２とでスライド機構を構成する。
【００５８】
固定カバー１０の下縁には開閉カバー１２と着脱可能に係合させる係合部９６の凹部９８が形成されている。
【００５９】
＜開閉カバー１２＞
【００６０】
図９は開閉カバー１２の背面を示している。図１０は開閉カバー１２の中間部およびアーム部２２−１、２２−２を拡大して示している。
【００６１】
この開閉カバー１２は前面ケース６−１の前面を覆う覆い部１００を備えている。この覆い部１００の上縁中間部には、既述の係合部９６の凹部９８に係止させる係合片４２が形成されている。この覆い部１００の左右の縁部にはアーム部２２−１、２２−２が形成されている。
【００６２】
各アーム部２２−１、２２−２の背面には、高さの異なるレール部１０４、１０６が平行に形成されている。レール部１０６はレール部１０４より高く形成されている。レール部１０４、１０６の間には溝部１０８が形成されている。溝部１０８の底面には一定の間隔で半球形状の複数のスライド突部１１０が間隔を開けて形成されている。レール部１０６にはその高さ方向および内壁面方向に突出する矩形の突部１１２が形成されている。
【００６３】
レール部１０４はアームガイド部２４−１または２４−２のスライド面部５４に対応する。レール部１０６はアームガイド部２４−１または２４−２の溝部５８に係合する。溝部１０８にはアームガイド部２４−１、２４−２のレール部５６が係合する。
【００６４】
突部１１２は前面ケース６−１のアイランド部４４の凹部６６に対応する。この突部１１２は開閉カバー１２を前面ケース６−１に装着する際の位置決め手段を構成している。つまり、凹部６６に突部１１２を挿入することにより、前面ケース６−１のアームガイド部２４−１、２４−２に開閉カバー１２の各アーム部２２−１、２２−２が装着可能である。装着後は、開閉カバー１２の各アーム部２２−１、２２−２の突部１１２がアイランド部４４の側壁６４の下側に係合してアームガイド部２４−１、２４−２からの離脱を防止する。つまり、離脱防止手段が構成されている。
【００６５】
開閉カバー１２の底板２８の中央部には、図１０に示すように、凹部１１５、１１７が形成されている。各凹部１１５、１１７の中心は前面ケース６−１の凹部５２の中心位置と一致している。
【００６６】
図１１は開閉カバー１２の前面を示している。図１２は開閉カバー１２の中間部およびアーム部２２−１、２２−２を拡大して示している。
【００６７】
開閉カバー１２は、固定カバー１０の下側に設置されて前面ケース６−１の前面パネル部８を開閉する。開閉カバー１２の覆い部１００の中間部には固定カバー１０の係合部９６に係合する係合片４２が形成されている。
【００６８】
各アーム部２２−１、２２−２の円弧長は、固定カバー１０の内面幅に対応し、アイランド部４４の幅Ｗ２から開閉カバー１２の覆い部１００の幅Ｗ３を減算した長さＬ１（＝Ｗ２−Ｗ３）である。
【００６９】
各アーム部２２−１、２２−２の前面側の外縁側には、レール部１１６が形成されている。各アーム部２２−１、２２−２の前面側の内縁側には、各アーム部２２−１、２２−２の上端側にスライド突部１１８が形成されている。このスライド突部１１８とレール部１１６との間には溝部１２０が形成されている。この溝部１２０の底面が各アーム部２２−１、２２−２の背面の一様な面部を形成している。
【００７０】
レール部１１６は固定カバー１０のアームガイド部２５−１またはアームガイド部２５−２のスライド面部８６に対応する。スライド突部１１８は、固定カバー１０の溝部９０に摺動可能に係合する。溝部１２０には固定カバー１０のレール部８８が係合する。
【００７１】
各アーム部２２−１、２２−２の溝部１２０の底面および底面に続く面部には複数のスライド突部１２２が形成されている。各スライド突部１２２は断面半球形状である。
【００７２】
＜前面ケース６−１、固定カバー１０および開閉カバー１２の係合＞
【００７３】
図１３は前面ケース６−１、固定カバー１０および開閉カバー１２の係合位置を示している。
【００７４】
前面ケース６−１のアイランド部４４の側壁６４には凹部６６が形成されている。この凹部６６に開閉カバー１２のアーム部２２−１、２２−２にある突部１１２を合せる。二点鎖線は対応位置を示している。
【００７５】
突部１１２を凹部６６の中心位置または内壁に合せ、前面ケース６−１に開閉カバー１２を重ねる。これにより、開閉カバー１２は前面ケース６−１の閉位置に設置される。この状態を維持して前面ケース６−１に固定カバー１０を装着する。これにより、開閉カバー１２が開閉可能に筐体モジュール４を組み立てることができる。
【００７６】
図１４は、前面ケース６−１に対する固定カバー１０の係合操作を示している。図１５は前面ケース６−１に固定された固定カバー１０および図１５のＡのXVB を拡大して示している。
【００７７】
図１４のＡに示すように、前面ケース６−１のアームガイド部２４−１、２４−２に係合させた開閉カバー１２のアーム部２２−１、２２−２を自重により下降させる。この状態で係合固定部７４の係止バー７６に固定カバー１０の鉤部８４を合わせる。
【００７８】
係止バー７６に鉤部８４を係合し、同時に係合凹部５０に固定カバー１０の係止突部８２を係合させる。前面ケース６−１に固定カバー１０を固定すると、固定カバー１０側にあるアームガイド部２５−１、２５−２にアーム部２２−１、２２−２が係合する。同時に、前面ケース６−１と固定カバー１０との間に開閉カバー１２のアーム部２２−１、２２−２が摺動可能に拘束される。図１５のＡが前面ケース６−１と固定カバー１０との係合状態を示している。
【００７９】
＜筐体モジュール４の各部断面の構造＞
【００８０】
図１６は、組み立てられた筐体モジュール４の前面において、各部の切断箇所を示している。
【００８１】
筐体モジュール４は前面ケース６−１の前面には固定カバー１０および開閉カバー１２が設置されている。開閉カバー１２が閉状態では、前面ケース６−１の前面が固定カバー１０および開閉カバー１２で覆われる。開閉カバー１２を下降させると、図２に示すように、開閉カバー１２で覆われていたスイッチパネル８が露出する。
【００８２】
図１７は、図１６のXVII−XVII線断面の一部を省略して示している。図１８のＡは、図１７のXVIIIA部を拡大して示している。
【００８３】
前面ケース６−１の上縁にある係合凹部５０には固定カバー１０の天井部に突出する係止突部８２が係合している。これにより、前面ケース６−１の上縁に固定カバー１０の上部が固定される。係合凹部５０側には係止突部８２を係止する係止突部５１が形成されている。この係止突部５１により、固定カバー１０の係止突部８２が拘束される。これにより、係合状態が維持される。各係止突部５１および係止突部８２は断面が曲面で形成されており、着脱を容易にしている。
【００８４】
図１８のＢは、図１７のXVIIIB部を拡大して示している。固定カバー１０の下縁にある係合部９６の凹部９８には開閉カバー１２の上縁にある係合片４２が係合する。これにより、開閉カバー１２の閉状態が維持される。
【００８５】
図１８のＣは、図１７のXVIIIC部を拡大して示している。前面ケース６−１の中央下部には接着材１２４により磁石１２６が固定されている。これに対し、開閉カバー１２には鉄板などの強磁性体板１２８が接着材１３０により固定されている。図１８のＣは磁石１２６に強磁性体板１２８が接着した状態である。これら磁石１２６および強磁性体板１２８によりカバー保持機構が構成されている。これにより、開閉カバー１２は既述の係合部９６の係合に加えて、磁力により開閉カバー１２が閉状態に維持される。
【００８６】
図１９は、開閉カバー１２の下降状態を示している。閉状態にある開閉カバー１２の上縁側の中央を矢印ａ方向に押下すると、開閉カバー１２の固定カバー１０との係合状態が解除される。これにより、開閉カバー１２はアーム部２２−１、２２−２により摺動可能となる。この状態では開閉カバー１２が磁力により保持されているので、矢印ｂ方向にユーザが力を加え、開閉カバー１２を下降させることができる。この開状態が図１９に示す状態である。これにより、前面ケース６−１の前面パネル部８が露出することは既述の通りであり、前面パネル部８のスイッチ操作が可能である。
【００８７】
この開状態にある開閉カバー１２を矢印ｃ方向に押し上げ、係合部９６を係合させると、開閉カバー１２が固定カバー１０に係合される。このとき、既述の磁力による保持が行われる。
【００８８】
図２０は、図１６のXX−XX線断面の一部を省略して示している。図２１は、開閉カバーの下降状態を示している。
【００８９】
開閉カバー１２のアーム部２２−１、２２−２にある突部１１２は前面ケース６−１側の凹部６２に挿入されている。突部１１２は凹部６２内をアーム部２２−１、２２−２の摺動方向に移動可能である。突部１１２が凹部６２の終端に到達する位置が開閉カバー１２のスライド終端である。スライド終端に到達すると、凹部６２の終端で突部１１２の移動が阻止され、開閉カバー１２のスライドが停止され、開状態で保持される。
【００９０】
図２２のＡは、アーム部２２−１、２２−２とアームガイド部２４−１、２４−２、２５−１、２５−２との摺動面を示している。図２２のＢは摺動状態を示している。
【００９１】
アーム部２２−１、２２−２にはアームガイド部２４−１、２４−２側に複数のスライド突部１１０、アームガイド部２５−１、２５−２側に複数のスライド突部１２２が形成されている。スライド突部１１０は、アームガイド部２４−１、２４−２のレール部５６との点接触面を形成している。同様に、スライド突部１２２は、アームガイド部２５−１、２５−２のレール部８８との点接触面を形成している。
【００９２】
このような点接触面により接触面積が削減されているので、各アーム部２２−１、２２−２では、図２２のＢに示すように、複数の点接触でスライドし、円滑なスライド状態が得られる。つまり、湿気によってもスライド動作が妨げられることなく、円滑な開閉を行うことができる。
【００９３】
この実施の形態の利点や効果は以下の通りである。
【００９４】
(a) 開閉カバー１２は筐体部の一部である固定カバー１０より突出させることなく開閉できる。開閉カバー１２はスライドによって開閉でき、開閉の操作性が高い。また、開状態の開閉カバー１２が邪魔にならない。
【００９５】
(b) 開閉カバー１２の背面側の露出がなく、開閉カバー１２の背面部に対するデザイン的な対策が不要である。
【００９６】
(c) 湾曲させた開閉カバー１２は開状態で固定カバー１０の前面より後退させることができる。
【００９７】
(d) 上記実施の形態では、開閉カバー１２のアーム部２２−１、２２−２のそれぞれが前面ケース６−１側のアームガイド部２４−１、２４−２と、固定カバー１０側のアームガイド部２５−１、２５−２とで摺動可能に支持されている。これらアームガイド部２４−１、２４−２と、アームガイド部２５−１、２５−２とはそれぞれがアーム部２２−１、２２−２と相まってスライド機構を構成している。アーム部２２−１、２２−２がアームガイド部２４−１、２４−２と、アームガイド部２５−１、２５−２に挟み込まれ、それぞれの摺動機能が滑らかなスライドを可能にしている。
【００９８】
〔第２の実施の形態〕
【００９９】
図２３は、第２の実施の形態に係るリモコン装置を示している。図２３に示す構成は本発明のリモコン装置の一例であり、斯かる構成に本発明が限定されるものではない。
【０１００】
リモコン装置２にはＣＰＵ（Central Processing Unit ）１３２により制御部が構成されている。ＣＰＵ１３２には情報の入出力を行う入出力部（Ｉ／Ｏ）１３４が接続されている。この入出力部１３４が既述の呼び出しスイッチ２０−１、追焚きスイッチ２０−２、ふろ自動スイッチ２０−３、運転スイッチ２０−４、下降スイッチ２６−１、上昇スイッチ２６−２、ふろ温度スイッチ２６−３、給湯温度スイッチ２６−４、水位スイッチ２６−５、時刻スイッチ２６−６、浴室優先スイッチ２６−７が接続されている。これらスイッチ操作により制御情報が入出力部１３４からＣＰＵ１３２に取り込まれる。
【０１０１】
入出力部１３４には入力ポート１３６、出力ポート１３８が設けられている。入力ポート１３６、出力ポート１３８には制御対象機器の一例として給湯・追焚装置１４０の制御部１４２が接続される。制御部１４２から検出情報などの情報が入出力部１３４からＣＰＵ１３２に取り込まれる。また、ＣＰＵ１３２で生成した制御情報が入出力部１３４から制御部１４２に伝送される。
【０１０２】
図２４は、給湯・追焚装置の一例を示している。この給湯・追焚装置１４０は、本発明のリモコン装置を用いた給湯・追焚装置の一例である。
【０１０３】
この給湯・追焚装置１４０には給湯機能部１４４および追焚機能部１４６が設置されている。給湯機能部１４４はリモコン装置２が接続された制御部１４２に制御される。この制御により、上水Ｗをガスの燃焼熱などにより加熱する。給湯機能部１４４から得られた温水ＨＷは給湯栓１４８から給湯される。
【０１０４】
追焚機能部１４６は浴槽１５０にある浴槽水ＢＷの追焚き加熱をする。この追焚き加熱は、リモコン装置２が接続された制御部１４２に制御される。この制御により、浴槽水ＢＷをガスの燃焼熱などにより加熱する。
【０１０５】
このような給湯および追焚き、その制御はリモコン装置２の操作により実行される。
【０１０６】
〔他の実施の形態〕
【０１０７】
(1) 上記実施の形態では筐体モジュール４でリモコン装置２を構成したが、筐体モジュール４はリモコン装置２以外の電子機器に利用でき、リモコン装置２に限定されない。
【０１０８】
(2) リモコン装置２は給湯・追焚装置１４０のリモコン装置として例示したが、これに限定されない。リモコン装置２は各種の機器に用いることができる。
【０１０９】
(3) 上記実施の形態では、開閉カバー１２が前面パネル部８の一部を開閉しているが、前面パネル部８の全部であってもよい。つまり、開閉カバー１２は、筐体部の一部または全部をスライドによって開閉する構成であってもよい。その場合、開閉のためのスライド構造は既述の実施の形態に準じて構成すればよい。
【０１１０】
(4) レール部５６のスライド限界に衝突するストッパ６０をアームガイド部２４−１、２４−２に形成しているがこれに限定されない。同様のストッパをアーム部２２−１、２２−２に設け、レール部５６のスライド限界内にアーム部２２−１、２２−２のスライド範囲を規制してもよい。
【０１１１】
以上説明したように、本発明の最も好ましい実施の形態等について説明した。本発明は、上記記載に限定されるものではない。特許請求の範囲に記載され、又は明細書に開示された発明の要旨に基づき、当業者において様々な変形や変更が可能であることは勿論である。斯かる変形や変更が、本発明の範囲に含まれることは言うまでもない。
【産業上の利用可能性】
【０１１２】
本発明では開閉カバーをスライド操作によって開閉でき、閉状態から開状態に操作された開閉カバーが筐体部より突出することがないなど、筐体モジュールの操作性が高く、リモコン装置などに用いて利便性が高められ、有用である。
【符号の説明】
【０１１３】
２  リモコン装置
４  筐体モジュール
６−１  前面ケース
６−２  背面ケース
８  前面パネル部
１０  固定カバー
１２  開閉カバー
２２−１、２２−２  アーム部
２４−１、２４−２  第１のアームガイド部
２５−１、２５−２  第２のアームガイド部
５４  スライド面部
５６、８８、１０４、１０６、１１６  レール部
１１８、１２２  スライド突部
【図１】
0006290349.tif 000002
【図２】
0006290349.tif 000003
【図３】
0006290349.tif 000004
【図４】
0006290349.tif 000005
【図５】
0006290349.tif 000006
【図６】
0006290349.tif 000007
【図７】
0006290349.tif 000008
【図８】
0006290349.tif 000009
【図９】
0006290349.tif 000010
【図１０】
0006290349.tif 000011
【図１１】
0006290349.tif 000012
【図１２】
0006290349.tif 000013
【図１３】
0006290349.tif 000014
【図１４】
0006290349.tif 000015
【図１５】
0006290349.tif 000016
【図１６】
0006290349.tif 000017
【図１７】
0006290349.tif 000018
【図１８】
0006290349.tif 000019
【図１９】
0006290349.tif 000020
【図２０】
0006290349.tif 000021
【図２１】
0006290349.tif 000022
【図２２】
0006290349.tif 000023
【図２３】
0006290349.tif 000024
【図２４】
0006290349.tif 000025